(57)【要約】【課題】市場に投入された後でも写真シールの流行の変化に応じてインクリボンの種類を容易に変更できる写真自動販売装置を提供する。【解決手段】写真自動販売装置１の制御部１０及び撮影部２０は、被写体を撮影して写真画像を生成する。また、制御部１０及び画像編集部４０は、写真画像及び編集画像を画像処理して合成画像を生成する。プリンタ６は、種類の異なる複数のインクリボンのうちのいずれか１つを装填可能なインクカートリッジと、複数のインクリボンの種類ごとに設定された印刷方法を記憶するメモリ６５２とを備える。プリンタ６は、インクカートリッジに装填されたインクリボンの種類に対応する印刷方法で、合成画像を印刷する。【選択図】図７
2008273017.tif 000002
【特許請求の範囲】
【請求項１】
撮影編集装置と、前記撮影編集装置に接続される印刷装置とを備えた写真自動販売装置であって、
前記撮影編集装置は、
被写体を撮影して写真画像を生成する撮影手段と、
前記写真画像に合成される編集画像を生成する編集手段と、
前記写真画像及び編集画像を画像処理して合成画像を生成する画像処理手段とを備え、
前記印刷装置は、
種類の異なる複数のインクリボンのうちのいずれか１つを装填可能なインクカートリッジと、
前記複数のインクリボンの種類ごとに設定された印刷方法を記憶する手段と、
前記インクカートリッジに装填されたインクリボンの種類に対応する印刷方法で、前記合成画像を印刷する印刷手段とを備えることを特徴とする写真自動販売装置。
【請求項２】
請求項１に記載の写真自動販売装置であって、
前記撮影編集装置はさらに、
前記インクカートリッジに装填されたインクリボンの種類を前記印刷装置から取得する手段と、
前記装填されたインクリボンの種類が、前記画像処理手段が対応可能な種類でないとき、その旨を表示する第１の表示手段とを備え、
前記印刷装置はさらに、
前記画像処理手段が対応可能なインクリボンの種類を前記撮影編集装置から取得する手段と、
前記装填されたインクリボンの種類が、前記画像処理手段が対応可能な種類でないとき、その旨を表示する第２の表示手段とを備えることを特徴とする写真自動販売装置。
【請求項３】
請求項２に記載の写真自動販売装置であって、
前記撮影編集装置はさらに、
対価を受け付ける対価受付手段と、
前記装填されたインクリボンの種類が、前記画像処理手段が対応可能な種類でないとき、前記対価受付手段の対価の受け付けを禁止する受付禁止手段とを備えることを特徴とする写真自動販売装置。
【請求項４】
請求項３に記載の写真自動販売装置であって、
前記第１の表示手段は、前記撮影編集装置の外部に取り付けられることを特徴とする写真自動販売装置。
【請求項５】
請求項４に記載の写真自動販売装置であって、
前記撮影編集装置はさらに、
前記撮影手段が処理を実行しているときに前記生成された写真画像を表示する撮影表示手段と、
前記編集手段が処理を実行しているときに前記写真画像及び編集画像を表示する編集表示手段とを備え、
前記撮影表示手段及び／又は前記編集表示手段は、前記装填されたインクリボンの種類が、前記画像処理手段が対応可能な種類でないとき、プレイの中断案内を表示することを特徴とする写真自動販売装置。
【請求項６】
請求項１に記載の写真自動販売装置であって、
前記撮影編集装置はさらに、
前記画像処理手段が画像処理を実行する前に、前記印刷装置に装填されたインクリボンの交換が必要か否かを判断する交換時期判断手段を備え、
前記画像処理手段は、前記インクリボンの交換が不要と判断されたとき、画像処理を実行し、前記インクリボンの交換が必要と判断されたとき、前記インクリボンの交換完了に伴う通知を受けた後、画像処理を実行することを特徴とする写真自動販売装置。
【請求項７】
請求項１に記載の写真自動販売装置であって、
前記撮影編集装置はさらに、
前記印刷装置が対応可能なインクリボンの種類を記憶する記憶手段と、
前記装填されたインクリボンの種類を前記印刷装置から取得する手段と、
前記装填されたインクリボンの種類が、前記印刷装置が対応可能な種類でないとき、その旨を表示する本体表示手段とを備え、
前記印刷装置はさらに、
前記装填されたインクリボンの種類が、自身が対応可能な種類でないとき、その旨を表示するプリンタ表示手段とを備えることを特徴とする写真自動販売装置。
【請求項８】
請求項７に記載の写真自動販売装置であって、
前記記憶手段はさらに、前記画像処理手段が対応しているインクリボンの種類を記憶し、
前記撮影編集装置はさらに、
前記写真自動販売装置の外部に取り付けられ、前記装填されたインクリボンの種類が、前記画像処理手段が対応している種類でないとき、その旨を表示する外部表示手段を備えることを特徴とする写真自動販売装置。
【請求項９】
種類の異なる複数のインクリボンのうちのいずれか１つを装填可能なインクカートリッジを含む印刷装置を備えた写真自動販売装置を用いた写真シール製造方法であって、
被写体を撮影して写真画像を生成する工程と、
前記写真画像に合成される編集画像を生成する工程と、
前記写真画像及び編集画像を画像処理して合成画像を生成する工程と、
前記複数のインクリボンの種類ごとに設定された印刷方法を記憶する工程と、
前記インクカートリッジに装填されたインクリボンの種類に対応する印刷方法で、前記合成画像を印刷する工程とを備えることを特徴とする写真シールの製造方法。
【発明の詳細な説明】
【技術分野】
【０００１】
本発明は、写真自動販売装置及び写真シールの製造方法に関し、さらに詳しくは、利用者を撮影して得た写真画像をシール紙に印刷して写真シールを製造する写真自動販売装置及び写真シールの製造方法に関する。
【背景技術】
【０００２】
ゲームセンターなどの遊戯施設には、利用者を被写体としてカメラで撮影し、その写真画像をシール紙に印刷して販売する写真自動販売装置が設置されている。これらの写真自動販売装置は、利用者を撮影して写真画像を生成する撮影装置と、写真画像をタブレットディスプレイなどに表示し、その写真画像に付属のタッチペンで文字や図形などを落書きして編集画像を入力する画像編集装置とを備えたものが一般的となっている。画像編集装置で入力された編集画像は写真画像と合成され、その合成画像がプリンタでシール紙に印刷され、利用者に提供される。
【０００３】
利用者は表現力のある写真シールを作成しようとするため、写真シールの表現力を高める機能は、写真自動販売装置の人気を左右する。そのため、多くの写真自動販売装置では、画像編集機能に工夫を凝らし、ペン、スタンプ、フレーム、背景画像などの多様な落書き素材を入力できるようにしている。
【０００４】
画像編集機能とともに、写真シールの色調も、写真自動販売装置の人気を左右する。そのため、カラー印刷のためのインクリボンは、市場の流行を考慮した上で、既存の多種類のインクリボンの中から決定され、採用される。そして、写真自動販売装置のプリンタには、通常、採用されたインクリボンのみに対応したファームウェアがインストールされ、そのファームウェアにより、採用されたインクリボンのみに対応した印刷方法で写真シールが印刷される。
【０００５】
また、写真自動販売装置は、採用されたインクリボンの種類に合わせて、写真画像及び編集画像に対して色調補正等の画像処理を実施する。したがって、写真自動販売装置にインストールされている画像処理アプリケーションは、通常、採用されたインクリボンのみに対応可能である。
【０００６】
また、最近では、写真シールの表現力のさらなる向上を目的に、特開２００３−１０３８６０号公報（特許文献１）で開示されるように、カラー印刷に重ねて、金、銀、蛍光色等の特定の特殊インクを印刷するプリンタを搭載し、特殊インクを利用する画像編集機能を利用者に提供する写真自動販売装置が登場している。
【０００７】
しかしながら、上述のように、プリンタ及び画像編集機能が、特定のインクリボンのみに対応するように構成されていると、写真自動販売装置を市場に投入した後に市場の流行が変化した場合、市場の流行の変化に対応して従来と異なる種類の新たなインクリボンを装填しようとしても、プリンタ及び編集機能が新たなインクリボンに対応できない。新たなインクリボンに対応するためには、プリンタ自体を交換したり、プリンタ内部のハードウェア及びソフトウェア（ファームウェアやアプリケーションプログラム等）を変更したりしなければならない。
【特許文献１】特開２００３−１０３８６０号公報
【発明の開示】
【発明が解決しようとする課題】
【０００８】
本発明の目的は、市場に投入された後でも写真シールの流行の変化に応じてインクリボンの種類を容易に変更できる写真自動販売装置及び写真シール製造方法を提供することである。
【課題を解決するための手段及び発明の効果】
【０００９】
本発明による写真自動販売装置は、撮影編集装置と、撮影編集装置に接続される印刷装置とを備える。撮影編集装置は、撮影手段と、編集手段と、画像処理手段とを備える。撮影手段は、被写体を撮影して写真画像を生成する。編集手段は、写真画像に合成される編集画像を生成する。画像処理手段は、写真画像及び編集画像を画像処理して合成画像を生成する。印刷装置は、種類の異なる複数のインクリボンのうちのいずれか１つを装填可能なインクカートリッジと、複数のインクリボンの種類ごとに設定された印刷方法を記憶する手段と、印刷手段とを備える。印刷手段は、インクカートリッジに装填されたインクリボンの種類に対応する印刷方法で、合成画像を印刷する。
【００１０】
本発明による写真自動販売装置では、インクカートリッジに装填可能な複数種類のインクリボンの印刷方法が、印刷装置に予め設定されている。このため、印刷装置は、ハードウェア及びソフトウェアを変更することなく、複数のインクリボンに対応できる。その結果、写真自動販売装置を市場に投入した後であっても、ハードウェア及びソフトウェアを変更することなく、装填されるインクリボンを変更することがある程度可能であり、市場での写真シールの趣向性の変化に柔軟に対応できる。
【００１１】
好ましくは、撮影編集装置はさらに、インクカートリッジに装填されたインクリボンの種類を印刷装置から取得する手段と、第１の表示手段とを備える。第１の表示手段は、装填されたインクリボンの種類が、画像処理手段が対応可能な種類でないとき、その旨を表示する。印刷装置はさらに、画像処理手段が対応可能なインクリボンの種類を撮影編集装置から取得する手段と、第２の表示手段とを備える。第２の表示手段は、装填されたインクリボンの種類が、画像処理手段が対応可能な種類でないとき、その旨を表示する。
【００１２】
印刷装置が対応可能なインクリボンの種類が、画像処理手段が対応可能なインクリボンの種類でない場合、装填されたインクリボンは印刷装置で対応可能であっても、画像処理手段で対応できない場合もある。この場合、撮影編集装置が異常の表示をし、印刷装置が正常と判断して異常の表示をしなければ、利用者や店舗の従業員等は、いずれの表示が正しいか判断できない。そこで、本発明では、印刷装置が、装填されたインクリボンの種類が、画像処理手段が対応可能な種類でないとき、異常を表示する。これにより、印刷装置の判断結果を撮影編集装置の判断結果に合わせることができ、利用者や従業員は、異常を適格に把握できる。
【００１３】
好ましくは、撮影編集装置はさらに、対価受付手段と、受付禁止手段とを備える。対価受付手段は、対価を受け付ける。受付禁止手段は、装填されたインクリボンの種類が、画像処理手段が対応可能な種類でないとき、対価受付手段の対価の受け付けを禁止する。
【００１４】
この場合、装填されたインクリボンの種類が画像処理手段の対応可能な種類でないとき、新たな利用者によりプレイが開始されるのを防止できる。
【００１５】
好ましくは、第１の表示手段は、撮影編集装置の外部に取り付けられる。
【００１６】
この場合、利用者が写真自動販売装置でプレイ中であっても、店舗の従業員等が、外部に取り付けられた第１の表示手段を見ることにより、異常を速やかに知ることができる。
【００１７】
好ましくは、撮影編集装置はさらに、撮影表示手段と、編集表示手段とを備える。撮影表示手段は、撮影手段が処理を実行しているときに生成された写真画像を表示する。編集表示手段は、編集手段が処理を実行しているときに写真画像及び編集画像を表示する。撮影表示手段及び／又は編集表示手段は、装填されたインクリボンの種類が、画像処理手段が対応可能な種類でないとき、プレイの中断案内を表示する。
【００１８】
この場合、撮影表示手段及び／又は編集表示手段を介して、プレイ中の利用者にプレイの中断を案内できる。これにより、利用者は、異常が発生したことを知ることができ、そのまま継続してプレイすることにより無駄な時間が発生するのを防止できる。
【００１９】
好ましくは、撮影編集装置はさらに、交換時期判断手段を備える。交換時期判断手段は、画像処理手段が画像処理を実行する前に、印刷装置に装填されたインクリボンの交換が必要か否かを判断する。画像処理手段は、インクリボンの交換が不要と判断されたとき、画像処理を実行し、インクリボンの交換が必要と判断されたとき、インクリボンの交換完了に伴う通知を受けた後、画像処理を実行する。
【００２０】
画像処理を実行して合成画像を作成した後にインクリボンを交換した場合、画像処理手段が交換後のインクリボンに対応できない場合がある。この場合、印刷装置は、画像処理により既に生成された合成画像を印刷できない場合がある。本発明では、画像処理前にインクリボンの交換の必要性を判断し、交換が必要な場合はインクリボンが交換されるまで画像処理を実行しない。そのため、上述の問題が発生しない。
【００２１】
好ましくは、撮影編集装置はさらに、印刷装置が対応可能なインクリボンの種類を記憶する記憶手段と、装填されたインクリボンの種類を印刷装置から取得する手段と、本体表示手段とを備える。本体表示手段は、装填されたインクリボンの種類が、印刷装置が対応可能な種類でないとき、その旨を表示する。印刷装置はさらに、プリンタ表示手段を備える。プリンタ表示手段は、装填されたインクリボンの種類が、自身が対応可能な種類でないとき、その旨を表示する。
【００２２】
たとえば、印刷装置が対応可能なインクリボンの種類のうち、画像処理手段が対応しているインクリボンの種類と異なるものが存在するとき、装填されたインクリボンは印刷装置で対応可能であっても、画像処理手段で対応していない場合もある。この場合、撮影編集装置が異常の表示をし、印刷装置が正常と判断して異常の表示をしなければ、利用者や店舗の従業員等は、いずれの表示が正しいか判断できない。そこで本発明では、撮影編集装置が、判断結果を印刷装置と合わせることにより、このような問題の発生を防止する。
【００２３】
好ましくは、記憶手段はさらに、画像処理手段が対応しているインクリボンの種類を記憶し、撮影編集装置はさらに、外部表示手段を備える。外部表示手段は、写真自動販売装置の外部に取り付けられ、装填されたインクリボンの種類が、画像処理手段が対応している種類でないとき、その旨を表示する。
【００２４】
装填されたインクリボンの種類が、画像処理手段が対応している種類でないときであっても、画像処理手段は画像処理を実行できる。しかしながら、装填されたインクリボンの種類に対応していないため、最適な画像処理がなされない。そこで本発明では、本体表示手段及び印刷表示手段に異常である旨を示さずに、外部表示手段に、画像処理手段が装填されたインクリボンに対応していない旨を表示する。これにより、利用者はプレイを邪魔されることなく、店舗の従業員等がいち早く状況を把握でき、利用者がいないときに、インクリボン又は画像処理手段を交換等することができる。
本発明による写真シールの製造方法は、上述の写真自動販売装置を用いた写真シールの製造方法である。
【発明を実施するための最良の形態】
【００２５】
以下、図面を参照し、本発明の実施の形態を詳しく説明する。図中同一又は相当部分には同一符号を付してその説明は繰り返さない。
【００２６】
１．外観構成
図１〜図３を参照して、本発明の実施の形態による写真自動販売装置１は、写真の撮影及び編集を行う撮影編集装置２と、撮影編集装置２内に収納され、撮影編集装置２と接続されるプリンタ６とを備える。
【００２７】
［撮影編集装置の構成］
図１及び図２を参照して、撮影編集装置２は、撮影を行う撮影空間３と、撮影により得られた写真画像の編集を行う編集空間４とに分かれる。撮影空間３には、撮影部２０が設けられ、編集空間４には、画像編集部４０が撮影部２０に隣接して設置される。撮影空間３及び編集空間４は図示しないサイドカーテンなどにより外部と区分されている。
【００２８】
撮影編集装置２の側面には、プレイに対する対価であるコインを受け付けるコイン受付部３０が設けられる。コイン受付部３０には、コインを投入するためのコイン投入口３３
と、受付表示パネル３２とが設けられる。コイン投入口３３は、コインセレクタに通じている。受付表示パネル３２は、図４（ａ）及び（ｂ）に示すように、写真自動販売装置１の利用案内を表示したり、図４（ｃ）に示すように、撮影空間３の利用状況を表示したりする。
【００２９】
写真自動販売装置１を利用する場合、まず利用者は、コイン投入口３３にコインを投入する。コインを受け付けると、写真自動販売装置１は受付表示パネル３２に、図４（ｂ）に示すような、利用者に撮影空間３への移動を促す案内を表示する。利用者はその案内に従って、装置側面から撮影空間３に入り、撮影部２０に向かって撮影操作を行う。撮影終了後、利用者は編集空間４に移動し、今度は画像編集部４０に向かって画像編集操作、具体的には、フレーム、スタンプ、ペン書きの文字や図形などの落書き画像を入力する。
【００３０】
図１を参照して、撮影部２０の正面中央にはカメラ２１が設けられ、その下方にはタッチパネルディスプレイ２３が設けられ、さらにそれらの周りには照明装置２２が設けられる。
【００３１】
カメラ２１は利用者を被写体として撮影するもので、一般にデジタルカメラが用いられる。カメラ２１は複数台設けたり、移動や角度調節をできるようにしたりしてもよい。
【００３２】
タッチパネルディスプレイ２３は、カメラ２１で撮影されている映像をリアルタイムで表示する。さらに、その画面上には透明なタッチパネルが貼り付けられており、タッチパネルを介して利用者の入力操作を受け付ける。
【００３３】
照明装置２２は、カメラ２１の周囲及び天井に設けられ、被写体を照明する。照明装置２２はその内部に、蛍光灯などの常灯照明と、ストロボなどの閃光照明（フラッシュ）とを有する。ストロボは、利用者から撮影の開始が指示され、カメラ２１が撮影している映像を静止画として取り込む瞬間に発光し、被写体を強く照明する。
【００３４】
図２を参照して、画像編集部４０は撮影部２０と背中合わせに設けられる。画像編集部４０は、撮影部２０で得られた写真画像と合成される、文字や図形等の編集画像を生成し、写真画像及び編集画像を画像処理して合成画像を生成する。画像編集部４０には、２つの編集部４１が背中合わせに設けられており、異なる利用者が各編集部４１で写真画像を編集できる。
【００３５】
各編集部４１の正面中央には、タブレットディスプレイ４２が設けられる。タブレットディスプレイ４２は、カメラ２１で撮影された写真画像の中から選択された１又は複数の写真画像を表示する。さらに、その画面上には透明なタッチパネルが貼り付けられており、タブレットディスプレイ４２は、タッチパネルに対する利用者の編集操作を受け付ける。タブレットディスプレイ４２の両側には、文字や図形といった編集画像をタッチパネル上で入力するためのタッチペン４３が設けられる。編集終了後、撮影編集装置２は、編集画像と写真画像とを画像処理して合成画像を生成し、生成された合成画像をプリンタ６に送信する。
【００３６】
図２及び図３を参照して、画像編集部４０の側面には、印刷部６０が設けられ、その内部にプリンタ６が収納される。印刷部６０は開閉可能なプリンタドア６５を備える。プリンタドア６５の裏面には、インクカートリッジの交換時や装置の点検時に利用されるサービスパネル６６が備え付けられている。プリンタドア６５の正面下部には、写真シールが排出されるシール取出口６２が設けられる。
【００３７】
印刷部６０の正面上部には、シール取出口表示パネル６１が設けられる。シール取出口表示パネル６１は、図５に示すように、「用紙切れ」ランプ６１１と、「エラー」ランプ６１２と、「プリント中」ランプ６１３とを備え、状況に応じて所定のランプ６１１〜６１３が点灯される。
【００３８】
［プリンタの構成］
プリンタ６は、たとえば、ＵＳＢケーブルにより撮影編集装置２と接続され、普通色カラー印刷及び特殊色印刷を実行する。具体的には、プリンタ６は、普通色カラー印刷に重ねて特殊色印刷を行う。
【００３９】
図３を参照して、プリンタ６は、印刷部６０内に収納される。プリンタ６は、正面にプリンタ表示パネル６０１と写真シールが排出される排出口６０２とを備える。プリンタ表示パネル６０１は、プリンタに異常が発生した場合、その旨を表示する。プリンタ６はまた、正面に記録カード差し込み口６０３を有する。記録カードは、装填されたインクリボンの種類や、インクリボン及びシール紙の残量等、消耗品に関する情報（以下、装填情報という）を記録する。プリンタ６は、差し込み口６０３に差し込まれた記録カードから装填情報を取得する。
【００４０】
図６を参照して、プリンタ６は、カラー印刷用の普通色インクリボン６２１が装填される普通色インクカートリッジ６２２と、金、銀、ラメなどの金属光沢のある特殊色インクリボン６２３が装填される特殊色インクカートリッジ６２４とを備える。プリンタ６はさらに、普通色印刷用の普通色印字ヘッド６２５と、特殊色印刷用の特殊色印字ヘッド６２６と、シール紙６２７と、製造された写真シール紙を所定の長さで切断するための切断部６２８とを備える。
【００４１】
普通色インクカートリッジ６２２には、異なる種類の複数の普通色インクリボン６２１のうちの１つが装填される。同様に、特殊色インクカートリッジ６２４には、異なる種類の複数の特殊色インクリボン６２３のうちの１つが装填される。
【００４２】
プリンタ６は、普通色インクリボン６２１及び特殊色インクリボン６２３を用いて、撮影編集装置２から送信された合成画像をシール紙６２７に印刷して写真シールを製造する。製造された写真シールは、切断部６２８で切断された後、シール取出口６２に排出される。
【００４３】
２．機能構成
図７を参照して、撮影編集装置２は、装置全体を制御する制御部１０と、撮影部２０と、コイン受付部３０と、画像編集部４０と、写真自動販売装置１全体の電力供給源である電源部５０と、写真シールを排出する印刷部６０と、インターネット網等の外部のネットワークと通信するための通信部７０とを備える。各部は、Ｉ／Ｏバス８０で相互に接続されている。
【００４４】
制御部１０は、ＣＰＵ(Central Processing Unit)１０１と、撮影編集装置２に所定の処理を実行させるための各制御プログラム、編集処理に必要なグラフィックデータ、音声データ、撮影された写真画像、写真画像を編集するための落書き画像、入力された編集画像等、を記憶するハードディスクドライブ（ＨＤＤ）１０２、上述の各制御プログラムの一時的な作業領域となるメモリ１０３、タッチパネルディスプレイ２３にクロマキー合成画像を表示するために利用されるクロマキキャプチャボード１０４を含む。
【００４５】
制御部１０は、撮影空間３での撮影処理を実行する。具体的には、制御部１０は、撮影処理プログラムに基づいて、利用者の指等のタッチによりタッチパネルディスプレイ２３で受け付けた入力操作にしたがって、カメラ２１の動作を操作する。また、カメラ２１の撮影により得られた写真画像を生成し、タッチパネルディスプレイ２３に表示する。
【００４６】
制御部１０はまた、編集空間４での画像編集処理を実行する。具体的には、制御部１０は、編集処理プログラムに基づいて、利用者のタッチペン４３でのタッチによりタブレットディスプレイ４２で受け付けた入力操作にしたがって、編集画像を生成する。制御部１０はさらに、画像処理アプリケーションプログラム（以下、画像処理アプリという）に基づいて、写真画像と編集画像とを画像処理し、合成画像を生成する。生成された合成画像はプリンタ６に送信される。
【００４７】
タッチパネルディスプレイ２３は、その表示画面上に図示しないタッチパネルが敷設される。タッチパネルディスプレイ２３は、利用者の指等の接触を検知し、それに応じた指示信号を制御部１０に送信する。タッチパネルディスプレイ２３はまた、制御部１０から送信された画像、具体的には、カメラ２１で撮像された写真画像、撮影のための案内、選択肢などを表示する。照明装置２２は、カメラ２１のシャッタタイミングに応じて発光するように制御部１０により制御される。スピーカ２４は、撮影空間３に配備され、制御部１０からの指示信号に基づいて、撮影プレイのための操作方法などの案内やＢＧＭなどを出力する。
【００４８】
画像編集部４０は、複数の編集部４１を備える。各編集部４１内のタブレットディスプレイ４２は、その表示画面上にタブレットが敷設される。タブレットディスプレイ４２は、左右のタッチペン４３の接触を検知し、それに応じた指示信号を制御部１０に送信する。タブレットディスプレイ４２は、制御部１０から送信された編集画像を写真画像上に重ねて表示する。スピーカ４４は、編集空間４に配備され、制御部１０からの指示信号に基づいて、編集プレイのための操作方法などの案内やＢＧＭなどを出力する。
【００４９】
プリンタ６は、ＵＳＢケーブル等で撮影編集装置２と接続される。プリンタ６は、ＣＰＵ６５１と、ＲＯＭ及びＲＡＭを含むメモリ６５２とを備える。メモリ６５２には、普通色インクカートリッジ６２２が装填可能な複数の普通色インクリボン６２１の種類ごとの印刷方法に関する情報が予め記憶されている。また、特殊色インクカートリッジ６２４が装填可能な複数の特殊色インクリボン６２３の種類ごとの印刷方法に関する情報も予め記憶されている。ここでいう印刷方法とは、たとえばインクリボンの種類ごとの色調補正の仕方等である。印刷方法は、各インクリボンの種類ごとに設けられたファームウェアとしてメモリ６５２に記憶されていてもよいし、１つのファームウェアが複数のインクリボンの印刷方法に関する情報を含んでいてもよい。このように、プリンタ６は、各インクカートリッジが装填可能な複数のインクリボンの印刷方法を予め記憶している。そのため、市場の流行が変化しても、印刷方法が記憶されているインクリボンの中から市場の流行に対応したインクリボンを選択して装填すれば、新たなファームウェアやアプリケーションをインストールすることなく、流行の変化に応じた色調の写真シールを印刷できる。
【００５０】
３．動作
上述した写真自動販売装置１の動作は次の通りである。
【００５１】
写真自動販売装置１は、電源がオンされたときに起動処理を実行する。起動処理を実行した後、対価受付処理、撮影処理、編集処理及び印刷処理をそれぞれ起動する。一方、プリンタ６は、普通色及び特殊色インクリボンを交換したとき、交換により新たに装填されたインクリボンの種類が、対応可能な種類か否かを判断するための異常判断処理を行う。以下、それぞれの動作処理について説明する。
【００５２】
３−１．起動処理
まず、写真自動販売装置１の起動処理を説明する。図８及び図９を参照して、電源がオンされたとき、ＣＰＵ１０１は、装置内の各機器を初期化する（Ｓ１）。続いて、画像処理アプリが対応可能なインクリボンの種類をプリンタ６に通知する（Ｓ２）。ＨＤＤ１０２には、画像処理アプリが対応可能なインクリボンの種類に関する情報が予め記憶されており、ＣＰＵ１０１は、この情報を読み出してプリンタ６に送信する。
【００５３】
続いて、ＣＰＵ１０１は、プリンタ６に装填された普通色及び特殊色インクリボン（以下、これらを総称して単にインクリボンともいう）及びシール紙に関する装填情報をプリンタ６に問い合わせて取得する（Ｓ３）。そして、装填情報に基づいて、インクリボンの交換が必要か否かを判断する（Ｓ４）。装填情報には、インクリボンのインク及びシール紙の残量データが含まれ、ＣＰＵ１０１は、その残量データに基づいて、インクリボンのインク、シール紙のいずれかが切れたか否かを判断する。インクリボンのインク又はシール紙が切れたと判断したとき、ＣＰＵ１０１は、インクリボンの交換が必要であると判断する（Ｓ４でＹＥＳ）。
【００５４】
インクリボンの交換が必要であるとき（Ｓ４でＹＥＳ）、ＣＰＵ１０１は、図５に示すシール取出口表示パネル６１の「用紙切れ」ランプ６１１を点灯する（Ｓ５）。写真自動販売装置１が設置された店舗の従業員等は、「用紙切れ」ランプ６１１の点灯を見たとき、インクリボン（普通色及び特殊色）と、シール紙とを交換する。なお、このとき、従業員等は、交換されたインクリボンに対応した記録カードをプリンタ６に差し込む。これにより、プリンタ６は新たに装填されたインクリボン及びシール紙に関する装填情報を取得する。
【００５５】
店舗の従業員は、新たなインクリボン及びシール紙を交換し終えたとき、インクリボンの交換を完了したことに伴い、プリンタドア６５裏面のサービスパネル６６のエラー解除スイッチ６６１を押す。このとき、エラー解除がＣＰＵ１０１に通知される。
【００５６】
ＣＰＵ１０１は、エラー解除通知を受けたか否かを監視する（Ｓ６）。エラー解除通知を受けたとき（Ｓ６でＹＥＳ）、インクリボンの交換が完了しているため、ステップＳ３に戻って再び装填情報を問い合わせる。
【００５７】
一方、ステップＳ４でインクリボンの交換が不要と判断されたとき（Ｓ４でＮＯ）、ＣＰＵ１０１は、装填された普通色インクリボンの種類と特殊色インクリボンの種類とをメモリ１０３に記憶する（Ｓ７）。普通色インクリボン及び特殊色インクリボンの種類は、ステップＳ３で取得された装填情報に含まれている。
【００５８】
次に、ＣＰＵ１０１は、装填された特殊色インクリボンの種類が、画像処理アプリが対応可能な種類か否かを判断する（Ｓ８）。ＣＰＵ１０１は、ＨＤＤ１０２から画像処理アプリが対応可能なインクリボンの種類を読み出し、装填された特殊色インクリボンの種類が、画像処理アプリが対応可能な種類か否かを判断する。
【００５９】
ステップＳ８の判断の結果、装填された特殊色インクリボンの種類が、画像処理アプリが対応可能な種類でない場合（Ｓ８でＮＯ）、図１０に示すような、装填された特殊色インクリボンに対応する画像処理アプリのインストールを促す画面を、タブレットディスプレイ４２に表示する（Ｓ１２）。これを見た店舗の従業員は、装填された特殊色インクリボンに対応可能な画像処理アプリをＨＤＤ１０２にインストールする。画像処理アプリがインストールされると（Ｓ１３）、ＣＰＵ１０１は、写真自動販売装置１の再起動を促す案内をタブレットディスプレイ４２に表示する（Ｓ１４）。
【００６０】
一方、ステップＳ８での判断の結果、装填された特殊色インクリボンの種類が、画像処理アプリが対応可能な種類であるとき（Ｓ８でＹＥＳ）、ＣＰＵ１０１は続いて、装填された普通色インクリボンの種類が、画像処理アプリの対応可能な種類か否かを判断する（Ｓ９）。普通色インクリボンの種類が、画像処理アプリの対応可能な種類と異なる場合（Ｓ９でＮＯ）、ＣＰＵ１０１は、店舗の従業員等に注意を促すために、シール取出口表示パネル６１の「エラー」ランプ６１２を点灯する（Ｓ１０）。
【００６１】
ステップＳ９の判断の結果、装填された普通色インクリボンの種類が、画像処理アプリが対応可能な種類であるとき（Ｓ９でＹＥＳ）、ＣＰＵ１０１は、メモリ１０３に格納された稼働停止フラグをオフにする（Ｓ１５）。稼働停止フラグとは、写真自動販売装置１での利用者のプレイを中断するか否かを判断するためのフラグであり、プレイを中断する必要がある場合、稼働停止フラグはオンされる。稼働停止フラグがオンされたとき、各動作処理は、プレイを中断するための処理を行う。稼働停止フラグについては後述する。
【００６２】
稼働停止フラグをオフにした後、ＣＰＵ１０１は、対価受付処理プログラム、撮影処理プログラム、編集処理プログラム及び印刷処理プログラムをそれぞれ起動する（Ｓ１２）。画像処理アプリは印刷処理プログラムに含まれる。これらの処理は、独立に並行して実行される。
【００６３】
３−２．インクリボン交換後のプリンタ起動時の異常判断処理
インクリボンのインク及びシール紙のいずれかが切れたとき、インクリボンが交換される。このとき、プリンタ６は、交換され新たに装填されたインクリボンの種類が、適切であるか否かを判断するために異常判断処理を実行する。以下、プリンタ６による異常判断処理の詳細を説明する。
【００６４】
図１２を参照して、プリンタ６は、プリンタ６が対応可能な普通色及び特殊色インクリボンの種類に関する情報を予めメモリ６５２に記憶している（Ｓ２１）。
【００６５】
次に、プリンタ６は、図８中のステップＳ２で撮影編集装置２から通知された、画像処理アプリが対応可能なインクリボンの種類に関する情報を受け付け、メモリ６５２に記憶する（Ｓ２２）。
【００６６】
続いて、プリンタ６は、新たに装填された普通色及び特殊色インクリボンの種類に関する情報を取得する（Ｓ２３）。新たに装填された普通色及び特殊色インクリボンの種類は、識別カードに記憶されており、プリンタ６は識別カードから情報を読み出す。なお、識別カードを利用しない場合、インクリボンに記録されるバーコードなどのコードに含まれる情報を読み取り、装填されたインクリボンの種類を取得してもよい。
【００６７】
続いて、プリンタ６は、装填されたインクリボンの種類が、プリンタ６が対応可能な種類か否かを判断する（Ｓ２４）。装填されたインクリボンの種類がプリンタ６の対応可能な種類でないとき、（Ｓ２４でＮＯ）、プリンタ表示パネル６０１に、異常である旨を表示する（Ｓ２７）。
【００６８】
一方、装填されたインクリボンの種類が、プリンタ６が対応可能な種類である場合（Ｓ２４でＹＥＳ）、プリンタ６はさらに、装填されたインクリボンの種類が、画像処理アプリが対応可能な種類か否かを判断する（Ｓ２５）。装填されたインクリボンの種類が、画像処理アプリの対応可能な種類でないとき（Ｓ２５でＮＯ）、ステップＳ２７に進んで、プリンタ表示パネル６０１に異常である旨を表示する（Ｓ２７）。装填されたインクリボンの種類が、画像処理アプリが対応可能な種類であるとき（Ｓ２５でＹＥＳ）、プリンタ６は、プリンタ表示パネル６０１に正常である旨を表示する（Ｓ２６）。
【００６９】
以上の動作により、プリンタ６は、新たに装填されたインクリボンの種類について、プリンタ６が対応可能か否かを判断するだけでなく、画像処理アプリが対応可能か否かも判断する。そして、自身が対応可能であっても、画像処理アプリが対応できない場合、プリンタ表示パネル６０１に異常を表示する。要するに、プリンタ６は、インクリボンの種類の判断結果を、撮影編集装置２の判断結果と合わせる。
【００７０】
たとえば、プリンタが特殊色インクリボンＡ及びＢに対応可能であり、画像処理アプリが特殊色インクリボンＡのみに対応可能な場合であって、プリンタに新たに装填された特殊色インクリボンがＢであるときを想定する。この場合に、プリンタが正常と判断してプリンタ表示パネルにその旨を表示し、撮影編集装置が異常と判断してタブレットディスプレイにその旨を表示すれば、店舗の従業員や利用者は、プリンタ表示部の表示と、タブレットディスプレイ等の表示のいずれが正しいのか判断できない。
【００７１】
本実施の形態による写真自動販売装置１は、このような事態を防止するために、プリンタ６に表示される判断結果を、撮影編集装置２に表示される判断結果に合わせる。そのため、店舗の従業員等は、異常を正確に認識でき、必要な場合、新たな画像処理アプリを速やかにインストールすることができる。
【００７２】
３−３．対価受付処理
撮影編集装置２は、起動処理を実行した後、対価受付処理を実行する。対価受付処理では、通常は、利用者がプレイするときの対価であるコインを受け付ける。しかしながら、プリンタ６に新たに装填されたインクリボンの種類が、画像処理アプリが対応可能な種類でないとき、対価の受け付けを禁止する。以下、対価受付処理の動作を詳述する。
【００７３】
図１３を参照して、ＣＰＵ１０１は、対価の受付を許可し（Ｓ３０１）、受付表示パネル３２に、図４（ａ）に示す、対価の投入を促す案内画面を表示する（Ｓ３０２）。
【００７４】
ＣＰＵ１０１は、稼働停止フラグがオンか否か（Ｓ３０３）、及び、所定の対価を受け付けたか否か（Ｓ３０６）を監視する。コイン投入口３３にコインが投入されたとき、コインセレクタ３１は、投入されたコインの種類およびその枚数を特定し、所定の対価を受け付けたとき、その旨をＣＰＵ１０１に通知する。この通知に基づいて、ＣＰＵ１０１は、所定の対価を受け付けたと判断する（Ｓ３０６でＹＥＳ）。
【００７５】
装填されたインクリボンの種類が異常でなければ、稼働停止フラグはオフである（Ｓ３０３でＮＯ）、そのため、所定の対価を受け付けたとき（Ｓ３０６でＹＥＳ）、ＣＰＵ１０１は、対価の受付を禁止し（Ｓ３０７）、メモリ１０３内のプレイ開始フラグをオンにする（Ｓ３０８）。プレイ開始フラグをオンにすることで、後述する撮影処理が実行可能となり、撮影空間３内で撮影プレイが開始される。ステップＳ３０７で対価の受付を禁止するのは、撮影空間３が利用されるため、新たな利用者から対価を受け付けても、新たな利用者に対して直ちに撮影空間３を提供できないためである。
【００７６】
プレイ開始フラグをオンにした後、ＣＰＵ１０１は、受付表示パネル３２に図４（ｂ）に示すような、利用者を撮影空間３に案内する画面を表示する（Ｓ３０９）。そして、所定時間経過した後（Ｓ３１０でＹＥＳ）、ＣＰＵ１０１は、受付表示パネル３２に、図４（ｃ）に示すような、撮影プレイ中である旨を表示する（Ｓ３１１）。
【００７７】
ＣＰＵ１０１は、撮影プレイの間、稼働停止フラグがオンであるか否か（Ｓ３１２）、及び、撮影プレイが終了したか否か（Ｓ３１３）を監視する。稼働停止フラグがオフであり、かつ、撮影プレイが終了したとき（Ｓ３１２でＮＯ、及びステップＳ３１３でＹＥＳ）、ＣＰＵ１０１は、ステップＳ３０１に戻って対価の受付を許可して（Ｓ３０１）、次の利用者の対価を受け付ける。なお、ステップＳ３０３及びＳ３１２での判断の結果、稼働停止フラグがオンである場合の処理については後述する。
【００７８】
３−４．撮影処理
続いて、撮影プレイ時に実行される撮影処理について詳述する。図１４を参照して、ＣＰＵ１０１は、写真自動販売装置１の利用を促すタイトルデモ画面をタッチパネルディスプレイ２３に表示する（Ｓ４０１）。ＣＰＵ１０１は、稼働停止フラグがオンか否か（Ｓ４０２）、プレイ開始フラグがオンか否か（Ｓ４０３）を監視する。稼働停止フラグがオフであるときに、プレイ開始フラグがオンとなった場合（Ｓ４０２でＮＯ、Ｓ４０３でＹＥＳ）、ＣＰＵ１０１は、プレイ開始フラグをオフにした後（Ｓ４０４）、撮影プレイを開始する（Ｓ４０５〜Ｓ４１４）。
【００７９】
まず、ＣＰＵ１０１は、タッチパネルディスプレイ２３に、予め用意された複数の背景画像を表示し、複数の背景画像の中から１つを利用者の操作に応じて選択する（Ｓ４０５）。カメラ２１で撮影されている映像（動画）は、クロマキー・キャプチャーボード１０４によるクロマキー処理等により被写体の部分のみが切り出され、それ以外の部分に選択された背景画像が嵌め込まれてタッチパネルディスプレイ２３に表示される。続いて、ＣＰＵ１０１は、所定の撮影を実行する（Ｓ４０６）。具体的には、カメラ２１が利用者を被写体として撮影して写真画像（静止画）を生成する。利用者は、タッチパネルディスプレイ２３に表示される案内に従って複数回の撮影を行う。この間、ＣＰＵ１０１は、稼働停止フラグがオンか否かを監視する（Ｓ４０７）。さらにＣＰＵ１０１は、撮影回数が所定回数（たとえば１０回）に達したか否かを判断する（Ｓ４１０）。
【００８０】
所定回数撮影されていない場合（Ｓ４１０でＮＯ）、ＣＰＵ１０１はステップＳ４０５に戻って背景画像の選択と撮影とを繰り返す。一方、稼働停止フラグがオフのまま（Ｓ４０７でＮＯ）、撮影回数が所定回数に達したとき（Ｓ４１０でＹＥＳ）、ＣＰＵ１０１は、撮影で得られた全ての写真画像をタッチパネルディスプレイ２３に一覧で表示し、その中から所定枚数（たとえば４〜６枚）の写真画像を利用者の操作に応じて選択する（Ｓ４１１）。ここで選択された写真画像が後述する編集処理の対象となる。
【００８１】
ＣＰＵ１０１は、編集対象となる写真画像を選択した後、撮影終了の案内をタッチパネルディスプレイ２３に表示するとともに（Ｓ４１２）、編集開始フラグをオンにする（Ｓ４１３）。これにより、編集プレイの開始が可能となる。
【００８２】
編集開始フラグをオンにした後、ＣＰＵ１０１は、編集空間４で画像編集するよう促す案内をタッチパネルディスプレイ２３に表示する（Ｓ４１４）。その後、ＣＰＵ１０１はステップＳ４０１に戻って再びタイトルデモ画面を表示する。
なお、ステップＳ４０２及びＳ４０７での判断の結果、稼働停止フラグがオンである場合の処理については後述する。
【００８３】
３−５．編集処理
続いて、編集処理について詳述する。編集処理では、利用者の操作によりタッチペン４３で入力される落書きを受け付け、落書き画像や背景画像を含む編集画像を生成する。落書き画像とは、ペン画像や図形画像、スタンプ画像等である。
【００８４】
図１５を参照して、ＣＰＵ１０１は、撮影プレイから始めるよう促すデモ画面をタブレットディスプレイ４２に表示しながら（Ｓ５０１）、稼働停止フラグがオンか否か（Ｓ５０２）及び編集開始フラグがオンか否か（Ｓ５０３）を監視する。そして、稼働停止フラグがオフのまま（Ｓ５０２でＮＯ）、編集開始フラグがオンになったとき（Ｓ５０３でＹＥＳ）、ＣＰＵ１０１は、編集開始フラグをオフにして（Ｓ５０４）、編集（落書き）プレイを開始する（Ｓ５０５）。具体的には、撮影された写真画像をタブレットディスプレイ４２に表示し、利用者はタッチペン４３を使って写真画像に好みの落書きをする。
【００８５】
編集（落書き）プレイ中、ＣＰＵ１０１は、稼働停止フラグがオンか否かを監視する（Ｓ５０６）。また、ＣＰＵ１０１は、落書き開始からの時間の経過を監視し、所定の制限時間（たとえば１８０秒）が経過したか否かを監視する（Ｓ５０９）。稼働停止フラグがオフのまま、落書き開始から所定の時間が経過したとき（Ｓ５０６でＮＯ、Ｓ５０９でＹＥＳ）、落書きの受付を終了し、編集プレイを終了する。このとき、写真画像ごとに入力された落書き画像や背景画像を編集画像として固定する。
【００８６】
編集画像を固定後、ＣＰＵ１０１は、稼働停止フラグがオンか否かを判断し（Ｓ５１０）、稼働停止フラグがオフである場合（Ｓ５１０でＮＯ）、利用者の操作に応じて印刷用の分割レイアウトを選択する（Ｓ５１１）。分割レイアウトは、１枚のシール紙に印刷すべき編集済み写真画像の枚数、配置及びサイズをあらかじめ定めたものである。分割レイアウトの選択処理は、あらかじめ定められた複数の分割レイアウトの中からいずれか１つを選択する。
【００８７】
分割レイアウトの選択後、ＣＰＵ１０１は、印刷開始フラグをオンにして（Ｓ５１２）、印刷処理の開始を指示する。また、ＣＰＵ１０１は、印刷待ち処理を実行する（Ｓ５１３）。印刷待ち処理では、印刷が完了すると見込まれる時間（たとえば９０秒）、利用者の退屈感を紛らわすために、所定のプレイ（携帯電話に画像を送信するための電子メールアドレスの入力、写真画像の閲覧、携帯電話の電子メールで使用する画像の作成など）を提供する。
【００８８】
所定時間が経過すると、ＣＰＵ１０１は、編集の終了を知らせるとともに、写真シールが排出されるシール取出口６２へ利用者を促す画面をタブレットディスプレイ４２に表示する（５１４）。その後、ＣＰＵ１０１はステップＳ５０１に戻って再びタイトルデモ画面を表示する。
なお、ステップＳ５０２、Ｓ５０６及びＳ５１０での判断の結果、稼働停止フラグがオンである場合の処理については後述する。
【００８９】
３−６．印刷処理
印刷処理では、写真画像及び編集画像をインクリボンの種類に対応した画像処理を実行し、合成画像を作成する。そして、プリンタ６に合成画像の印刷を指示する。印刷処理では、装填されたインクリボンの種類に対応できない画像処理で合成画像を作成しないように、画像処理を実行する前にインクリボンの交換の必要性を確認する。以下、印刷処理について詳述する。
【００９０】
図１６及び図１７を参照して、ＣＰＵ１０１は、印刷開始フラグがオンか否かを監視し（Ｓ６０１）、印刷開始フラグがオンになったとき（Ｓ６０１でＹＥＳ）、印刷処理を開始する。
【００９１】
ＣＰＵ１０１はまず、装填情報を問い合わせる（Ｓ６０２）。ＣＰＵ１０１は、装填情報に基づいて、インクリボンの交換が必要か否かを判断する（Ｓ６０３）。
【００９２】
ＣＰＵ１０１は、印刷処理を開始するごとにプリンタ６に装填情報を問い合わせてもよい。この場合、装填情報は、たとえば、プリンタ６に現在装填されている普通色及び特殊色インクリボンの種類と、インクリボン及びシール紙のいずれかが切れた場合はその旨の情報とを含む。また、ＣＰＵ１０１０は、インクリボンが交換された後に１回プリンタ６に問い合わせて装填情報を取得し、取得された装填情報をメモリ１０３に記憶しておき、印刷処理を開始するごとにメモリ１０３に記憶された装填情報を読み出してステップＳ６０３の判断を実行してもよい。この場合、装填情報は、プリンタ６に現在装填されている普通色及び特殊色インクリボンの種類と、各インクリボンの残量及びシール紙の残量とを含む。
【００９３】
インクリボン及び／又はシール紙が切れているためにインクリボンの交換が必要であるとき（Ｓ６０３でＹＥＳ）、ＣＰＵ１０１は、シール取出口表示パネル６１の「用紙切れ」ランプ６１１を点灯し（Ｓ６０８）、店舗の従業員等にインクリボン及びシール紙の交換を促す。従業員等は、プリンタ６に新たなインクリボン及びシール紙を装填したとき、新たに装填されたインクリボンに対応した装填情報を記録した記録カードをプリンタ６に差し込む。プリンタ６は、新たに装填されたインクリボンに対応した装填情報を記録カードから取得する。これにより、プリンタ６は、撮影編集装置２の問い合わせに応じて、装填情報を送信できる。なお、インクリボンを交換した後、プリンタ６は、図１２に示す上述の異常判断処理を実行する。
【００９４】
従業員等は、インクリボンの交換の完了に伴って、エラー解除スイッチ６６１を押す。これにより、ＣＰＵ１０１にエラー解除が通知される。ＣＰＵ１０１は、エラー解除の通知を受けたとき（Ｓ６０９でＹＥＳ）、ステップＳ６０２に戻ってプリンタ６に装填情報を再度問い合わせ、装填情報を取得する（Ｓ６０２）。これにより、ステップＳ６０３でインクリボンの交換は不要と判断され（Ｓ６０３でＮＯ）、ステップＳ６０４以降に進んで画像処理を実行する。
【００９５】
以上のとおり、写真自動販売装置１は、画像処理を実行して合成画像を生成する前に、インクリボンの交換が必要か否かを判断する。そして、交換が必要な場合、インクリボンの交換が完了し、エラー解除通知を受けた後、画像処理を実行する。画像処理を実行した後にインクリボンが交換されれば、生成された合成画像が、交換後のインクリボンに対応していない場合が生じる。この場合、合成画像をプリンタ６に送信しても、印刷できなかったり、タブレットディスプレイ４２に表示された写真画像と色調の異なる写真シールが生成されたりする。インクリボンを交換後、画像処理をやり直す方法も考えられるが、その場合、画像処理を２回行う必要がある。
【００９６】
本実施の形態による写真自動販売装置１は、画像処理を実行する前にインクリボンの交換が必要か否かを判断する。そのため、上述の問題を回避でき、無駄な画像処理が実行されるのを抑えることができる。つまり、やり直すことにより画像処理を２回行う必要がなく、１回で済む。
【００９７】
ステップＳ６０３で、インクリボンの交換が不要と判断されたとき（Ｓ６０３でＮＯ）、ＣＰＵ１０１は、装填情報内の普通色及び特殊色インクリボンの種類をメモリ１０３に記憶する（Ｓ６０４）。そして、画像処理アプリが各インクリボンの種類に対応しているか否かを確認する（Ｓ６０５、Ｓ６１０）。画像処理アプリが対応可能なインクリボンの種類は、ＨＤＤ１０２に記憶されている。
【００９８】
まず、ＣＰＵ１０１は、プリンタ６に装填されている特殊色インクリボンの種類が、画像処理アプリが対応可能な種類か否かを判断する（Ｓ６０５）。メモリ１０３に記憶された特殊色インクリボンの種類が、画像処理アプリが対応可能な種類であるとき（Ｓ６０５でＹＥＳ）、ＣＰＵ１０１はさらに、プリンタ６に装填されている普通色インクリボンの種類が、画像処理アプリの対応可能な種類か否かを判断する（ステップＳ６１０及びＳ６１１）。
【００９９】
ＣＰＵ１０１は、装填された普通色インクリボンの種類が、画像処理アプリが対応可能な種類ａであると判断したとき（Ｓ６１０でＹＥＳ）、種類ａに対応した画像処理方法で写真画像及び編集画像を加工し、合成画像を生成する（Ｓ６１３）。また、装填された普通色インクリボンの種類が、画像処理アプリが対応可能な種類ｂである場合（Ｓ６１０でＮＯ、Ｓ６１１でＹＥＳ）、ＣＰＵ１０１は、種類ｂに対応した画像処理方法で写真画像及び編集画像を加工し、合成画像を生成する（Ｓ６１４）。
【０１００】
画像処理を完了した後、ＣＰＵ１０１は、ステップＳ５１１で選択された分割レイアウトに従って、所定のレイアウトに画像処理された画像を組み込み、印刷用データを作成する（Ｓ６１５）。そして、作成された印刷用データ及び印刷指示をプリンタ６に送信する（Ｓ６１６）。印刷用データ及び印刷指示を送信後、ＣＰＵ１０１は、シール取出口表示パネル６１内の「プリント中」ランプ６１３を点灯する（Ｓ６１７）。図５に示すとおり、「プリント中」ランプ６１３は、複数の編集部４１の各々に対応して設けられ、編集プレイが実行された編集部４１に対応したランプ６１３が点灯される。
【０１０１】
ランプ６１３を点灯後、ＣＰＵ１０１は、印刷の終了を監視する（Ｓ６１８）。プリンタ６は、送信された印刷用データをシール紙に印刷する。印刷が終了したとき、プリンタ６は終了通知をＣＰＵ１０１に出力する。ＣＰＵ１０１は、終了通知を受けたとき、印刷が終了したと判断し（Ｓ６１８でＹＥＳ）。シール取出口表示パネル６１の「プリント中」ランプ６１３を消灯する（Ｓ６１９）。以上の結果、製造された写真シールはシール取出口６２から利用者に提供される。
【０１０２】
なお、装填された普通色インクリボンの種類が画像処理アプリの対応可能な種類でないとき（Ｓ６１０でＮＯ及びＳ６１１でＮＯ）、ＣＰＵ１０１は、シール取出口表示パネル６１内のエラーランプ６１２を点灯する。
【０１０３】
４．画像処理アプリが装填された特殊色インクリボンの種類に対応できない場合
上述のとおり、プリンタ６に装填された特殊色インクリボンの種類が、画像処理アプリの対応可能な種類か否かの判断は、印刷処理のステップＳ６０５で実行される。通常、画像処理アプリは、特定の特殊色インクリボンの種類に対応している。具体的には、特殊色インクリボンの種類に応じて、落書きのアイテムが変更されたり、色調補正方法が変更されたりする。そのため、装填された特殊色インクリボンの種類が、現在インストールされている画像処理アプリの対応可能な種類でないとき、撮影処理や編集処理が実行されても写真シールを製造することができない。
【０１０４】
そこで、装填された特殊色インクリボンの種類が画像処理アプリの対応可能な種類でないとき、ＣＰＵ１０１は、稼働停止フラグをオンする。稼働停止フラグがオンされたとき、各動作処理（対価受付処理、撮影処理及び編集処理）は、プレイを中断して利用者が無駄な時間を費やすのを防ぐ。
【０１０５】
ステップＳ６０５の判断の結果、装填された特殊色インクリボンの種類が、画像処理アプリの対応可能な種類でないとき（Ｓ６０５でＮＯ）、ＣＰＵ１０１は、稼働停止フラグをオンにして（Ｓ６０６）、シール取出口表示パネル６１内の「エラー」ランプ６１２を点灯する（Ｓ６０７）。
【０１０６】
画像処理アプリが、装填された特殊色インクリボンの種類に対応できない場合、装填された特殊色インクリボンに対応可能な画像処理アプリを新たにインストールし、かつ、装置を再起動しなければならない。そのため、稼働停止フラグがオンされたとき、ＣＰＵ１０１は、新たな利用客による利用を禁止する。また、撮影処理及び／又は編集処理が実行中の利用者に、プレイの中断を案内する。以下、これらの事項を説明する。
【０１０７】
［稼働停止フラグがオンされたときの対価受付処理］
図１３を再び参照して、撮影空間３が利用される前に稼働停止フラグがオンされたとき（Ｓ３０３でＹＥＳ）、ＣＰＵ１０１は、対価の受付を禁止し（Ｓ３０４）、図１８に示すエラー表示画面を受付表示パネル３２に表示する（Ｓ３０５）。また、撮影空間３が利用されているとき、ＣＰＵ１０１は対価の受付を禁止するが（Ｓ３０７）、撮影が終了する前に稼働停止フラグがオンになったとき（Ｓ３１２でＹＥＳ）、ステップＳ３０５に進み、対価の受付を禁止したまま、受付表示パネル３２に図１８の画面を表示する。以上の動作により、新たな利用者によりプレイが開始されるのを防止する。そのため、利用者が写真シールを得ることができないのにプレイを開始することによって生じる無駄な時間を排除でき、店舗の損害（返金）も極力抑えることができる。
【０１０８】
［稼働停止フラグがオンされたときの撮影処理］
図１４を再び参照して、ＣＰＵ１０１は、プレイ開始フラグがオンになる前、つまり、撮影処理が開始される前に、稼働停止フラグがオンとなったとき（Ｓ４０２でＹＥＳ）、図１１に示すエラー画面をタッチパネルディスプレイ２３に表示して、画像処理アプリのインストールを促す（Ｓ４１５）。
【０１０９】
一方、撮影処理を実行中に稼働停止フラグがオンになったとき（Ｓ４０７でＹＥＳ）、ＣＰＵ１０２は、図１９に示すような、撮影プレイを中断する案内画面をタッチパネルディスプレイ２３に表示する（Ｓ４０８）。このとき、ＣＰＵ１０１は、図１９に示すように、撮影プレイの継続又は中断を選択するためのボタン４２１及び４２２を表示し、ユーザにボタンの選択を促す。そして、ユーザ操作に応じて、撮影プレイの中断又は継続を選択する（Ｓ４０９）。
【０１１０】
画像処理アプリが装填された特殊色インクリボンに対応できない場合、装填された特殊色インクリボンに対応可能な画像処理アプリを新たにインストールしなければ、装填された特殊色インクリボンに対応した編集処理が実行できない。そのため、撮影プレイを継続しても、利用者は、撮影された写真画像の写真シールを得ることができない。そこで、時間を無駄にしたくない利用者は、撮影プレイを中断するために、図１９に示した画面中の「はい」ボタン４２１を選択する。このとき、ＣＰＵ１０１は、撮影プレイを中断すると判断し（Ｓ４０９でＹＥＳ）、図１１に示すエラー画面を表示する（Ｓ４１５）。
【０１１１】
一方、撮影された写真画像の写真シールを得ることができないとわかっていても、撮影プレイを継続して楽しみたい利用者もいる。撮影プレイを楽しみたい利用者は、図１９に示した画面中の「いいえ」ボタン４２２を選択する。このとき、ＣＰＵ１０１は、撮影プレイを継続すると判断し（Ｓ４０９でＮＯ）、ステップＳ４１０に進む。
【０１１２】
以上のとおり、撮影プレイ中に稼働停止フラグがオンされたとき、プレイ中断の案内をタッチパネルディスプレイ２３に表示する。これにより、利用者は、撮影を継続しても写真シールが得られないことを知ることができ、そのまま継続してプレイすることにより無駄な時間が発生するのを防止できる。
【０１１３】
なお、図１４では、ステップＳ４０５〜Ｓ４１０の間、つまり、利用者を撮影している間に、ＣＰＵ１０１が稼働停止フラグを監視したが（Ｓ４０７〜Ｓ４０９）、ステップＳ４１１〜４１４の間にステップＳ４０７〜Ｓ４０９の処理を実行してもよい。
【０１１４】
［稼働停止フラグがオンされたときの編集処理］
稼働停止フラグがオンされたときの編集処理は、上述の撮影処理での動作と同様である。図１５を再び参照して、編集プレイが開始される前に稼働停止フラグがオンされたとき（Ｓ５０２でＹＥＳ）、及び、編集プレイが終了した後に稼働停止フラグがオンされたとき（Ｓ５１０でＹＥＳ）、図１１に示すエラー画面をタブレットディスプレイ４２に表示する（Ｓ５１５）。
【０１１５】
一方、編集プレイ中に稼働停止フラグがオンされたとき（Ｓ５０６でＹＥＳ）、タブレットディスプレイ４２に表示されている編集画面の端に、プリンタの異常を示すアイコンを点滅させながら表示する（Ｓ５０７）。さらにこのとき、ＣＰＵ１０１は、プリンタに異常が発生した旨、及び、点滅しているアイコンをタッチすれば編集処理が中断する旨を、スピーカ４４を介して音声で利用者に案内する。利用者の操作により、点滅しているアイコンがタッチされたとき、ＣＰＵ１０１は、編集プレイの中断を選択し（Ｓ５０８でＹＥＳ）、図１１に示すエラー画面をタブレットディスプレイ４２に表示する。一方、アイコンがタッチされなければ（ステップＳ５０８でＮＯ）、ステップＳ５０９に進み、編集プレイを継続する。
【０１１６】
以上のとおり、編集プレイ中に起動フラグがオンされたとき、撮影処理での動作と同様に、プレイ中断の案内をタブレットディスプレイ４２に表示する。これにより、利用者は、編集プレイを継続しても写真シールが得られないことを知ることができ、そのまま継続してプレイすることにより無駄な時間が発生するのを防止できる。
【０１１７】
なお、上述では、特殊色インクリボンの種類が画像処理アプリの対応可能な種類と異なる場合に稼働停止フラグをオンするとしたが、普通色インクリボンの種類が画像処理アプリの対応可能な種類と異なる場合に、稼働停止フラグをオンしてもよい。
【０１１８】
５．第２の実施の形態
上述の第１の実施の形態では、プリンタ６は、装填されたインクリボンの種類が自身の対応可能な種類か否かを判断するだけでなく、画像処理アプリが対応可能な種類か否かも判断することで、プリンタ６に表示される判断結果を、撮影編集装置２に表示される判断結果と合わせ、表示結果の不一致の発生を防止した。
【０１１９】
ところで、普通色インクリボンの場合、画像処理アプリの対象外の種類であっても、色調が多少変わるものの、写真シール紙に印刷可能な場合がある。この場合、新たな画像処理アプリをインストールするためにプレイを中断するよりも、利用者がプレイを継続する方を優先するのが好ましい。したがってこの場合、撮影編集装置２は、画像処理アプリが対応していないインクリボンであっても、異常である旨をタッチパネルディスプレイ２３やタブレットディスプレイ４２に表示せず、撮影処理や編集処理を継続するのが好ましい。
【０１２０】
以下、第２の実施の形態による写真自動販売装置の印刷処理を説明する。説明を容易にするために、プリンタ６が普通色インクリボンのみを搭載し、普通色印刷のみを実施し、普通色インクリボンの種類ａ及び種類ｂに対応可能であると仮定する。また、撮影編集装置２内の画像アプリは、普通色インクリボンの種類ａに対応していると仮定する。なお、撮影編集装置２の対価受付処理、撮影処理、編集処理は第１の実施の形態と同じである。
また、本実施の形態では、プリンタ６は、異常判断処理において、図１２中のステップＳ２２及びＳ２５を除く他の動作を実行する。要するに、プリンタ６は、装填された普通色インクリボンが自身の対応可能な種類か否かのみを判断する。
【０１２１】
本実施の形態による撮影編集装置２は、プリンタ６が対応可能な普通色インクリボンの種類ａ及びｂをＨＤＤ１０２に予め記憶している。また、画像処理アプリが対応可能なインクリボンの種類ａもＨＤＤ１０２に予め記憶している。
【０１２２】
図２０を参照して、ステップＳ６０１〜Ｓ６０３、Ｓ６０８及びＳ６０９での動作は、上述の第１の実施の形態での印刷処理と同じである。ＣＰＵ１０１は、インクリボンの交換が不要と判断したとき（Ｓ６０３でＮＯ）、装填された普通色インクリボンの種類を取得し、メモリ１０３に記憶する（Ｓ６３０）。
【０１２３】
続いて、ＣＰＵ１０１は、装填された普通色インクリボンの種類が、プリンタ６が対応可能な種類か否かを判断する（Ｓ６３１）。このとき、ＣＰＵ１０１は、ＨＤＤ１０２に予め記憶された、プリンタ６が対応可能な普通色インクリボンの種類を読み出し、装填された普通色インクリボンの種類と比較する。
【０１２４】
ＣＰＵ１０１が、装填された普通色インクリボンの種類が、プリンタ６が対応可能な種類でない（たとえば種類ｃ）と判断したとき（Ｓ６３１でＮＯ）、シール取出口表示パネル６１内のエラーランプ６１２を点灯し（Ｓ６３４）、ステップＳ６０９に進む。このとき、プリンタ６も、装填されたインクリボンの種類が、自身が対応可能なインクリボンの種類ではないと判断し、プリンタ表示パネル６０１に異常を表示する（Ｓ２７）。
【０１２５】
一方、ステップＳ６３１での判断の結果、装填された普通色インクリボンの種類が、プリンタ６が対応可能な種類ａ又はｂであるとき（Ｓ６３１でＹＥＳ）、ＣＰＵ１０１は次に、装填された普通色インクリボンの種類が、画像処理アプリが対応している種類ａか否かを判断する（Ｓ６３２）。
【０１２６】
ステップＳ６３２での判断の結果、装填された普通色インクリボンの種類が、画像処理アプリが対応している種類ａであるとき（Ｓ６３２でＹＥＳ）、装填された普通色インクリボンに対応した画像処理アプリで、画像処理を実行し、写真画像及び編集画像を加工する（Ｓ６３５）。Ｓ６３５以降のステップＳ６１５〜Ｓ６１９の動作は第１の実施の形態での印刷処理と同じである。
【０１２７】
一方、ステップＳ６３２での判断の結果、装填された普通色インクリボンの種類がｂであり、画像処理アプリが対応している種類ａでない場合であっても（Ｓ６３２でＮＯ）、既存の種類ａに対応した画像処理アプリで画像処理を実行する（Ｓ６３５）。この場合、画像処理アプリが、装填されたインクリボンの種類ｂに対応していないため、最適な画像処理（色調補正等）はできない。しかしながら、多少の色調のずれはあるものの、生成された合成画像に基づいて写真シールを製造できる。したがってこの場合、印刷処理が継続される。
【０１２８】
要するに、本実施の形態では、装填された普通色インクリボンの種類が、画像処理アプリの対応している種類でないからといって、稼働停止フラグをオンにしない。そのため、タッチパネルディスプレイ２３及びタブレットディスプレイ４２は異常を示す表示画面を表示せず、エラーランプ６１２も点灯しない。一方、この場合、プリンタ６も異常判断処理において正常と判断する。要するに、撮影編集装置２は、インクリボンの判断結果をプリンタ６の判断結果に合わせる。これにより、装填された普通色インクリボンの種類が画像処理アプリの対応している種類でなくても、ディスプレイ２３及び４２に異常である旨の表示がされないため、利用者は、通常どおりプレイを継続して写真シールを得ることができる。
【０１２９】
しかしながら、実際には、画像処理アプリが装填されたインクリボンに対応していないため、装填された普通色インクリボンの種類ｂに対応した画像処理アプリを新たにインストールした方が好ましい。そのため、ＣＰＵ１０１は、ステップＳ６３２でＮＯと判断したとき、受付表示パネル３２に図２１に示すアイコンを表示する（Ｓ６３３）。これにより、店舗の従業員は、新たな画像処理アプリのインストールが必要であると判断でき、利用者のいないタイミングで、新たな画像処理アプリをインストールすることができる。
【０１３０】
以上の説明では、画像処理アプリの対象外のインクリボンが装填された場合の処理について説明したが、このような誤ったインクリボンの装填を事前に防ぐ方が好ましい。たとえば、交換用のインクリボンが梱包されたパッケージにインクリボンの種類を示すコードを印刷しておく。そして、待機時又はインクリボン交換時のタッチパネルディスプレイ２３、タブレットディスプレイ４２の表示画面に、画像処理アプリが対応するインクリボン種類のコードを表示する。このようにすれば、インクリボン交換時に、従業員が、画像処理アプリに対応していないインクリボンのパッケージを開封し、交換するのを抑制できる。
【０１３１】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【０１３２】
【図１】本発明の第１の実施の形態による写真自動販売装置の撮影空間側からみた斜視図である。
【図２】図１に示した写真自動販売装置の編集空間側からみた斜視図である。
【図３】図２中の印刷部及び印刷部内に格納されたプリンタの斜視図である。
【図４】図１中の写真自動販売装置の受付表示パネルに表示される表示画面の一例である。
【図５】図２及び図３中のシール取出口表示ランプの正面図である。
【図６】図３中のプリンタの断面図である。
【図７】図１〜図３に示した写真自動販売装置の機能構成を示すブロック図である。
【図８】図１〜図３に示した写真自動販売装置の起動処理の動作を示すフロー図である。
【図９】図７の起動処理の続きを示すフロー図である。
【図１０】図９中のステップＳ１２でタブレットディスプレイに表示される画面の一例を示す図である。
【図１１】図１４中のステップＳ４１５でタッチパネルディスプレイに表示される画面の一例を示す図である。
【図１２】図１〜図３に示した写真自動販売装置に含まれるプリンタの異常判断処理の動作を示すフロー図である。
【図１３】図１〜図３に示した写真自動販売装置の対価受付処理の動作を示す図である。
【図１４】図１〜図３に示した写真自動販売装置の撮影処理の動作を示すフロー図である。
【図１５】図１〜図３に示した写真自動販売装置の編集処理の動作を示すフロー図である。
【図１６】図１〜図３に示した写真自動販売装置の印刷処理の動作を示すフロー図である。
【図１７】図１６の印刷処理の続きを示すフロー図である。
【図１８】図１３中のステップＳ３０５で受付表示パネルに表示される画面の一例を示す図である。
【図１９】図１４中のステップＳ４０８でタッチパネルディスプレイに表示される画面の一例を示す図である。
【図２０】本発明の第２の実施の形態による写真自動販売装置の印刷処理の動作を示すフロー図である。
【図２１】図２０中のステップＳ６３３で受付表示パネルに表示されるアイコンの一例を示す図である。
【符号の説明】
【０１３３】
１  写真自動販売装置
２  撮影編集装置
６  プリンタ
２３  タッチパネルディスプレイ
３２  受付表示パネル
４０  画像編集部
４２  タブレットディスプレイ
６１  シール取出口表示パネル
１０１，６５１  ＣＰＵ
１０２  ＨＤＤ
１０３，６５２  メモリ
６６１  エラー解除スイッチ
【図１】
2008273017.tif 000003
【図２】
2008273017.tif 000004
【図３】
2008273017.tif 000005
【図４】
2008273017.tif 000006
【図５】
2008273017.tif 000007
【図６】
2008273017.tif 000008
【図７】
2008273017.tif 000009
【図８】
2008273017.tif 000010
【図９】
2008273017.tif 000011
【図１０】
2008273017.tif 000012
【図１１】
2008273017.tif 000013
【図１２】
2008273017.tif 000014
【図１３】
2008273017.tif 000015
【図１４】
2008273017.tif 000016
【図１５】
2008273017.tif 000017
【図１６】
2008273017.tif 000018
【図１７】
2008273017.tif 000019
【図１８】
2008273017.tif 000020
【図１９】
2008273017.tif 000021
【図２０】
2008273017.tif 000022
【図２１】
2008273017.tif 000023